(57)【要約】      （修正有）【課題】容易且つ確実に正確な一定の刈高さへ調節することができるものであって、刈り込み現場への運搬が容易であり、比較的安価であり、また作業効率を向上させることのできる芝刈り高さの調節機構及びこれを備えた芝刈り機を提供すること。【解決手段】本発明の芝刈り高さ調節機構は、リール刃Ｂの前方で接地するローラーＲを具備するリール刃式の芝刈り機において、前記ローラーＲの周囲を着脱自在に覆うことで、ローラーＲを等しく拡径する拡径手段からなることを特徴とする。また、前記拡径手段は、前記ローラーＲを覆う円筒を円周角方向に分割した、複数の円筒分割体１からなることが好ましい。【選択図】図１
2005095110.tif 000002
【特許請求の範囲】
【請求項１】
リール刃の前方で接地するローラーを具備するリール刃式の芝刈り機において、前記ローラーの周囲を着脱自在に覆うことで、ローラーを等しく拡径する拡径手段からなることを特徴とする芝刈り高さ調節機構。
【請求項２】
前記拡径手段は、前記ローラーを覆う円筒を円周角方向に分割した、複数の円筒分割体からなる請求項１記載の芝刈り高さ調節機構。
【請求項３】
前記ローラーが幅方向に複数の円板刃を有すると共に、前記円筒分割体それぞれの内周面には、前記円板刃に嵌合する嵌合溝を設けたものである請求項２記載の芝刈り高さ調節機構。
【請求項４】
螺合構造によってリール刃との高さ方向の相対位置を調節しうるローラーと、請求項１ないし３いずれか記載の芝刈り高さ調節機構とを備えた芝刈り機。
【発明の詳細な説明】
【技術分野】
【０００１】
本発明は、リール式の芝刈り機における、芝刈りの高さを調節する機構、及びこれを備えたリール式の芝刈り機に関するものである。
【背景技術】
【０００２】
リール式の芝刈り機を用いた、比較的低く整った刈上がりの芝刈りに関して、しばしば、互いに異なる数種類の芝の刈高が必要とされる。例えばゴルフ場において、グリーン部は、厳密に規定された正確な刈高さが求められており、また、その周囲のカラー部は、厳密な規定は無いもののグリーン部より高くフェアウェイ部より低い刈高であることが求められる。
【０００３】
この高さの異なる芝刈りに関して、従来、前方のローラーの両端に連結された垂直方向のボルトとこれに螺合するナットとによって、リール刃の高さを調節する芝刈り機が存在する（例えば、特許文献１参照）。これは、前方のローラーの相対位置を、リール刃を覆う切断ユニットに対して螺合構造によって上下に可変させるものである。
【０００４】
しかし、このような螺合構造による高さの調節は、微調節が可能であるものの、ナットのボルトに対する正確な位置を容易に認識できず、また、ナットを一旦緩めた後に工具を用いて締結することから、ナットの微調節によるリール刃の微細且つ正確な高さの設定や、前後左右の微細且つ正確な水平調節を要する。このため、確実な高さの調節を容易に行うことができず、刈り込み現場における高さの変更作業ができなかった。特に、刈高さを高く調節した後に、一定の低い刈高さへと容易且つ確実に調節することができない。
【０００５】
ここで、例えばゴルフ場のグリーンの芝刈りでは、１００分の１ｍｍ単位の誤差の、正確な刈高さが求められる。このような正確な刈高さの刈り込みにおいては、前記の通り、刈り込み現場において一定の刈高さへ確実に調節することが容易ではないことから、定められた一の刈高さへ正確に調節した芝刈り機を、刈高さの種類と同じ台数だけ用意し、複数台全てを刈り込み現場毎に運搬していた。このような複数台の芝刈り機は、様々な刈り込み現場への運搬が困難であると共に、機材経費により安価なものでなく、芝刈り機の稼働台数の減少により作業効率を低下させるものであった。
【０００６】
他に、従来、リール刃を覆う切断ユニットのフレーム内に、垂直方向に整列した複数の孔を設けると共に、前方のローラーの両端にも孔を有する板体を設け、互いの孔をピン接合することで、リール刃の高さを調節する芝刈り機が存在する。これは、前方のローラーの相対位置を、リール刃を覆う切断ユニットに対してピン接合の構造によって上下に可変させるものである。
【０００７】
しかし、このようなピン接合による高さの調節は、刈り込み現場における複数段階の高さの調節が比較的容易であるものの、ピンを容易に挿脱可能とすべく孔とピンの間にある程度の隙間（遊び）が必要であることから、ピン接合後にガタツキが生じ、誤差の少ない正確な刈高さの芝刈りを行うことができない。このため、例えばゴルフ場のグリーンのような正確な刈高さの刈り込みには適していなかった。
【特許文献１】特開平６−６２６３６号公報、段落番号４等
【発明の開示】
【発明が解決しようとする課題】
【０００８】
そこで、本発明は、容易且つ確実に正確な一定の刈高さへ調節することができるものであって、刈り込み現場への運搬が容易であり、比較的安価であり、また作業効率を向上させることのできる芝刈り高さの調節機構及びこれを備えた芝刈り機を提供することを課題とする。
【課題を解決するための手段】
【０００９】
（１）すなわち、本発明の芝刈り高さ調節機構は、リール刃Ｂの前方で接地するローラーＲを具備するリール刃式の芝刈り機において、前記ローラーＲの周囲を着脱自在に覆うことで、ローラーＲを等しく拡径する拡径手段からなることを特徴とする。
【００１０】
このようなものであれば、芝刈り機のローラーＲの周囲を覆ってローラーＲを等しく拡径する、という簡易な手段によって、接地するローラーＲの回転軸が、拡径された分だけ高い位置となる。これにより、リール刃Ｂの高さを一定量だけ容易且つ確実に変えることができる。また着脱自在であるから、ローラーＲの周囲を覆った拡径手段を取り外すことによって、元の低い刈り込み高さへと容易且つ確実に変えることができる。また、前記従来のように刈高さの異なる複数台の芝刈り機を用意する必要が無く、比較的軽量且つ小型な拡径手段によって刈高さを調節できることから、刈り込み現場への運搬が容易になると共に、作業効率を向上させることができる。また、既存の芝刈り機を利用することができるため安価となる。
【００１１】
（２）また、本発明の芝刈り高さ調節機構は、前記拡径手段が、前記ローラーＲを覆う円筒を円周角方向に分割した、複数の円筒分割体１からなることが好ましい。
【００１２】
このようなものであれば、簡易な構造の円筒分割体１それぞれを、ローラーＲの周囲から複数の円周角方向から略円筒となるように組み合わせることによって、ローラーＲを略全周角方向へ略均等に拡径することができる。円周角方向に分割した円筒分割体１はまた、刈り込み現場への運搬及び固定の際の取り扱いがより容易であると共に、円筒分割体１同士に隙間を開けて覆設することで、様々な径のローラーＲに対応することができる。特に、刈り込み現場においては土砂や刈草という付着物がローラーＲに容易に付着し、また温度によりローラーＲが伸縮するところ、円筒分割体１同士に隙間を開けて覆設することで、付着物を除去することなく、また伸縮した径のローラーＲであっても覆設することができる。
【００１３】
（３）また、本発明の芝刈り高さ調節機構は、前記ローラーＲが、幅方向に複数の円板Ｒｄを有すると共に、前記円筒分割体１それぞれの内側部には、前記円板Ｒｄに嵌合する嵌合溝２２を設けたものであることが好ましい。
【００１４】
このようなものであれば、ローラーＲの円板Ｒｄを利用した簡易な構造の嵌合溝２２によって、ローラーＲの幅方向へずれることのない確実な固定ができる。
【００１５】
（４）また、本発明の芝刈り機として、螺合構造Ｓによってリール刃Ｂとの高さ方向の相対位置を調節しうるローラーＲと、前記いずれかの芝刈り高さ調節機構とを備えたものであることが好ましい。
【００１６】
このような芝刈り機であれば、螺合構造Ｓによって刈高さを微調節することで、最も低い刈高さとなるように予め正確に調節しておくことができる。これに前記覆設体からなる芝刈り高さ調節機構を設けることで、特に、一定の高い刈高さへと調節した後も低い刈高さの刈り込みを正確に行うことができる。
【発明の効果】
【００１７】
本発明は、上述のような構成としたことで、容易且つ確実に正確な一定の刈高さへ調節することができる。また、刈高さの異なる複数台の芝刈り機を用意する必要が無いことから、刈り込み現場への運搬が容易であり、比較的安価であり、作業効率を向上させることのできる芝刈り高さ調節機構及びこれを備えた芝刈り機を得ることができる。
【発明を実施するための最良の形態】
【００１８】
以下、本発明を実施するための最良の形態を、各実施例として示す各図と共に説明する。図１ないし図３に、本発明の芝刈り高さ調節機構の実施例１を示す。また図３は、実施例１の芝刈り高さ調節機構を備えた芝刈り機を示す。
【００１９】
図５に本発明の芝刈り高さ調節機構の実施例２を、図６、図７に本発明の芝刈り高さ調節機構の実施例３を、それぞれ示す。尚、図４は、本発明の芝刈高さ調節機構を固定する対象である芝刈り機の例を示す。
【００２０】
以下のいずれの実施例においても、本発明の芝刈り高さ調節機構は、リール刃Ｂの前方で接地するローラーＲを具備するリール刃式の芝刈り機に、着脱自在に設けられるものである。そして、前記ローラーＲの全部または一部の幅方向において、ローラーＲの周囲の全部または一部の円周角方向を覆うことで、ローラーＲの一部幅方向を等しく拡径する拡径手段からなることを特徴とする。また、前記拡径手段は、前記ローラーＲを覆う、一または複数の部材からなる円筒と、前記ローラーＲを覆ったこの円筒を前記ローラーＲに固定する固定構造２と、からなる。
【実施例１】
【００２１】
図１は、実施例１の芝刈り高さ調節機構を、芝刈り機のローラーＲに着脱自在に固定する前の状態を示す斜視説明図である。図２は、固定したローラーＲの状態を示す平面視一部断面説明図である。図３は、実施例１の芝刈り高さ調節機構を芝刈り機に固定した芝刈り機の状態を示す、側面視一部切欠き説明図である。図４は、図３との比較において実施例１の芝刈高さ調節機構を取り外した状態を示す。また同時に図３および図４は、螺合構造Ｓの芝刈り機と実施例１の芝刈高さ調節機構とを備えた本発明の芝刈り機について、使用状態を示す。
【００２２】
本発明の芝刈り高さ調節機構を固定する対象の芝刈り機は、図４に示すように、リール刃Ｂと、リール刃Ｂの前方で接地するローラーＲと、を具備するリール刃式の芝刈り機であり、市販の芝刈り機を用いることもできる。他に、リール刃Ｂと、リール刃Ｂの前方で接地するローラーＲと、を具備する芝刈りユニットを備えた、自走式または手押し式の車両でもよい。
【００２３】
尚、このリール刃式の芝刈り機と、これに固定する本発明の芝刈り高さ調節機構とを具備したものとして、芝刈り高さ調節機構を備えた本発明の芝刈り機がある。
【００２４】
リール刃式の芝刈り機の刈高さは、例えば図４のｈ０に示すように、回転するリール刃Ｂと、その下方にて接する固定された固定刃との接触高さで決定される。
【００２５】
ローラーＲは、芝刈り機の左右の幅方向に伸びてそれ自体の両端で枢支され、リール刃Ｂの前方で接地しながら転動する。また、幅方向の軸に対して垂直に、複数の同一形状の円板Ｒｄを略等間隔毎に有する。この円板Ｒｄは芝面と垂直に接しながら転動し、芝面との接地面積を少なくすると共にその円板面で芝刈り前の芝を起立させて、刈高さを正確なものとするものである。
【００２６】
また、ローラーＲを枢支する枢支枠は、略垂直方向に伸びるボルト、ナットによる螺合構造Ｓによってリール刃Ｂとの高さ方向の相対位置を調節しうる。
【００２７】
そして、本実施例の芝刈り高さ調節機構の拡径手段は、ローラーＲの幅方向の一部分を覆う円筒を円周角方向に分割した、複数の円筒分割体１と、この複数の円筒分割体１をローラーＲの周囲に固定する固定構造２と、からなる。すなわち、分割した複数の円筒分割体１を互いに当接させて組み合わせ、これを後述の固定構造２によってローラーＲから容易に外れないように固定することによって、ローラーＲを略全周角方向に亘って、略均等に拡径する。
【００２８】
この略均等の拡径幅は、必要な刈高さに応じたものとし、各刈り込み現場にて必要とされる拡径幅の円筒分割体１を一または複数種、選択して用いることで、細かな刈高さの調節をも可能とする。
【００２９】
円筒分割体１は、ローラーＲの周囲を覆う円筒を複数の円周角方向に分割してなり、拡径幅の等しい内部切欠き扇形断面を有する。さらには、複数たる二の円筒分割体１を略円筒となるように、互いに当接させて組み合わせることによって、ローラーＲの周囲のうち複数たる二の円周角方向から覆うものである。
【００３０】
また、それぞれの円筒分割体１は互いに等形状であり、形状の異なるものと比して製造費用を抑えた安価なものとして得られる。
【００３１】
より具体的には、円筒分割体１は、共に１８０度の断面略等中心角を有し、ローラーＲを両側から周設する一対の半円筒である。このような半円筒の円筒分割体１は、部材点数が少なく構造が簡易なため、運搬およびローラーＲへの着脱が容易である。この円筒分割体１を対向させて、それぞれの当接面を当接させるように組み合わせてローラーＲを覆う。
【００３２】
一対の半円筒の円筒分割体１から形成される円筒の中心軸長さ、すなわち円筒分割体１の固定時における左右の幅方向の厚さは、運搬及び取り扱いのためには、ローラーＲの軸長の８分の１ないし６分の１程度であることが好ましい。ローラーＲへの固定の際には、この半円筒の円筒分割体１を二組用意し、ローラーＲの枢支枠付近たる両端に近接して固定する。これにより、ローラーＲの走行が安定する。また円筒分割体１と連結部材２１とからなる拡径手段の接地面積を、二組の円筒分割体１によって一定以上に確保することができる。これよりも接地面積が小さい場合には、芝刈り前の芝が拡径手段によって高圧で踏まれ、正確な刈高さを確保し得ないものとなってしまう。
【００３３】
対向する円筒分割体１同士が当接する当接面には、それぞれ、互いに当接した円筒分割体１同士がローラーＲの軸方向にずれないように、円筒分割体１同士の相対位置を決める位置決め構造１１が設けられている。この位置決め構造１１は、具体的には、一の円筒分割体１の当接面に設けられた嵌入突起と、他の円筒分割体１の当接面に設けられ前記嵌入突起が嵌入する嵌入穴と、からなる嵌入構造である。ローラーＲへの固定の際には、この位置決めの嵌入構造によって各円筒分割体１の当接の状態を容易に認識することができる。ひいては、ローラーＲへの固定作業が容易となる。
【００３４】
円筒分割体１のそれぞれの外周面には、前記連結部材２１を円筒分割体１の外周面より内側（中心方向）に収納して外周面から突出しないようにする収納凹部１２を設けている。
【００３５】
収納凹部１２は、円筒分割体１の幅方向の中央付近において、外周面の全周角方向に亘って設けられ、円筒分割体１からなる円筒の外周を細くするものである。また、一対の円筒分割体１を当接させて組み合わせた状態で、収納凹部１２の底面は略円柱側面を形成する。この収納凹部１２の深さ、すなわち円筒の外周を細くする幅は、後述の連結部材２１たる巻装体を重ねた厚みと同程度である。このような深さであれば、各円筒分割体１を連結した連結部材２１たる巻装体が、図２で示すように、円筒分割体１の外周面と連続した側面を形成し、凹凸のない一体的なものとして構成される。この連続した側面はすなわち拡径手段の接地面であるから、拡径手段が一定以上の接地面積を確保することができる。
【００３６】
円筒分割体１のそれぞれの内周面には、後述する固定構造２として、ローラーＲの円板Ｒｄに嵌合する嵌合溝２２を設けている。この嵌合溝２２に円板Ｒｄを嵌入することで、固定した円筒分割体１がローラーＲに対して、左右の幅方向すなわち軸方向にずれることが無いものとしている。
【００３７】
そして、固定構造２は、ローラーＲに覆設した円筒分割体１同士を連結する連結部材２１と、ローラーＲの円板Ｒｄに嵌合する嵌合溝２２とからなる。嵌合溝２２にローラーＲの円板Ｒｄを嵌入した状態で円筒分割体１同士を連結することで、固定した円筒分割体１の、ローラーＲからの離脱を防止する。
【００３８】
連結部材２１は、ローラーＲの周囲に覆設した状態の円筒分割体１同士を解除可能に連結し、円筒分割体１同士が容易に分離しないようにするものである。
【００３９】
具体的には、実施例１の連結部材２１は、複数の円筒分割体１を外周面から巻装する長尺の巻装体である。これは、巻装という単純な手段によって、複数の覆設体たる円筒分割体１の全てを連結し、もってローラーＲの周囲に確実に固定するものであり、安価で強度性に優れたものとしうる。更には、巻装体は、面ファスナーであり、巻装する長さを自在に調節できると共に着脱が容易なものとしている。
【００４０】
連結部材２１は他に、磁性体によるもの、粘性接着体によるもの等でもよく、以下実施例２、実施例３に説明するものでもよい。
【００４１】
嵌合溝２２は、円筒分割体１のそれぞれの内周面において、それぞれがローラーＲの一部の円板Ｒｄに嵌合するように、幅方向へ略等間隔に複数設けられる。この嵌合溝２２に円板Ｒｄを嵌入することで、固定した円筒分割体１がローラーＲに対して、左右の幅方向すなわち軸方向にずれることが無いものとしている。嵌合溝２２の溝底形状は、ローラーＲの円板Ｒｄと同一またはこれよりわずかに大径の円形状である。この円形状の溝底によって、ローラーＲへ固定した円筒分割体１の、円筒分割体１に対するガタツキが減少し、ローラーＲから容易に外れることの無い固定構造２としうる。
【００４２】
嵌合溝２２は他に、以下実施例４に説明するように軟質樹脂の弾性体からなるもの、或いは溝底等、嵌合溝２２の一部に軟質樹脂の弾性体を使用したものとしてもよい。このようなものであれば、振動を吸収することで安定した刈高さを維持することができる。
【００４３】
上記構成の芝刈高さ調節機構は、以下のように使用する。まず、螺合構造Ｓによってリール刃Ｂとの高さ方向の相対位置を調節し、刈高さを微調節することで、最も低い刈高さとなるように予め正確に調節しておく。具体的には、工具を用いてナットの微調節によるリール刃Ｂの微細且つ正確な高さの設定や、前後左右の微細且つ正確な水平調節を、工具、設備及び環境の整った準備作業場で完了させておく。これによって、様々な刈り込み現場において、図４に示すように、最も低い刈高さｈ０の刈り込みを正確に行うことができる。
【００４４】
そして、より高い刈高さｈ１へと調節する際には、図１に示すように、ローラーＲの左右幅方向の複数箇所において、一定の距離を開けて、連結部材２１たる巻装体により円筒分割体１を固定する。特に、図１、図２に示すように、ローラーＲの両端部に二組の円筒分割体１を固定したものであれば、固定後の走行が安定すると共に固定の手間が少なくなるため好ましい。これにより、図３に示すように、ローラーＲの拡径幅に応じた一定量だけ確実に刈高さを高くして、より高い刈高さｈ１へ調節することができる。また、必要な刈高さｈ１に応じた拡径幅の円筒分割体１を選択して用いることができる。
【００４５】
更に、一定の高い刈高さｈ１へと調節した後に、最も低い刈高さｈ０へと調節する際には、固定した円筒分割体１を、連結部材２１たる巻装体を外すことで取り外す。これによって、図４に示すように、予め正確に調節しておいた最も低い刈高さｈ０の刈り込みを正確且つ確実に行うことができる。
【００４６】
その他、各部の具体的な構成は、上述した実施例に限定されるものでなく、本発明の趣旨を逸脱しない範囲で種々の変形が可能である。
【実施例２】
【００４７】
実施例２の芝刈り高さ調節機構について、図５に、芝刈り機のローラーＲに固定した状態の斜視説明図を示す。
【００４８】
実施例２の連結部材２１は、一対の円筒分割体１同士をそれぞれの当接部付近にて掛架する、弾性体たるバネからなる。この弾性体は、側面視にて左右二箇所ある当接部のそれぞれに、１本ずつ設けられている。弾性体により、円筒分割体１を着脱可能に近接するように付勢することで、円筒分割体１同士の分離を効果的に防止すると共に、円筒分割体１同士の間隔を自在に且つ容易に変更できる。これにより、様々な径のローラーＲに対応することができ、例えば土砂等の付着物が付着していても、付着物を落とすことなく容易に円筒分割体１を連結することができる。またローラーＲの径が熱膨張により大きくなった場合でも、異なる形状の円筒分割体１を用意する必要が無い。
【００４９】
円筒分割体１の外周面には、前記連結部材２１を外周面より内側に収納して外周面から突出しないようにする収納凹部１２を、円筒分割体１同士が当接する当接部付近に一対設けている。この収納凹部１２はまた、当接させた各円筒分割体１同士を亘るように一体的に形成される直線溝である。
【００５０】
各収納凹部１２には、連結部材２１としての前記弾性体たるバネの端部を掛止するための掛止突起１２ｐが設けられる。この掛止突起１２ｐに両端を掛止することで、弾性体たるバネは円筒分割体１同士を掛架する。その他の構成は、実施例１と同様である。
【実施例３】
【００５１】
実施例３の芝刈り高さ調節機構について、図６に、ローラーＲへの固定前の断面図を、図７に、固定後の断面図を示す。
【００５２】
実施例３の連結部材２１は、一対の円筒分割体１同士それぞれの当接部付近にて設けられ、円筒分割体１が当接した状態で互いに対向して掛合する掛合板からなる。掛合板は板バネ構造により容易に掛合が解除されないものとなっている。このような円筒分割体１に一体的に設けられた掛合板による連結であれば、部材点数が減少し極めて容易な連結作業となり、ひいては刈高さの調節を容易に行える。
【００５３】
円筒分割体１に掛合板が一体的に設けられているため、円筒分割体１の外周面には、実施例１のような収納凹部１２は不要であり、より簡易な構造として得られる。その他の構成は、実施例１と同様である。
【実施例４】
【００５４】
他に、本発明の芝刈り高さ調節機構は、一の覆設体として、ローラーＲを挿入してローラーＲの幅方向の一部における全円周角方向を覆う円筒体と、この挿入した円筒体をローラーＲへ着脱自在に固定する固定構造２とからなるものとしてもよい（図示せず）。円筒体がローラーＲに覆設されることで、ローラーＲを等しく全周方向へ均等に拡径する。これにより、拡径したローラーＲの走行が極めて安定し、覆設体を覆設した後の刈高さを一定の高いものに安定させることができる。
【００５５】
実施例４の固定手段は、例えば、幅方向の略等間隔に複数の円板Ｒｄを有するローラーＲの、各円板Ｒｄに嵌合する、軟質樹脂製の嵌合溝２２から成るものとしてもよい。軟質樹脂製の嵌合溝２２は、例えば天然或いは合成ゴムを含有する弾性体からなり、形状復元機能を有することで、円板Ｒｄを容易に嵌合溝２２に嵌入させることができる。また弾性体からなる嵌合溝２２は、芝刈り機の進行時に振動を吸収し、刈高さを安定させることで、正確な刈高さの芝刈りを行うことができる。
【００５６】
本実施例では、円筒体として一体的に形成された円筒を用いるため、実施例１のような円筒分割体１や、円筒分割体１同士を連結する連結部材２１や、円筒分割体１同士の相対位置を決める位置決め構造１１や、連結部材２１を収納する収納凹部１２は不要である。よって、より簡易な構造として安価に得られ、また運搬及び取り扱いにも優れたものとなる。その他の構成は、実施例１と同様である。
【産業上の利用可能性】
【００５７】
このようにして得られた各実施例の芝刈り高さ調節機構及びこれを備えた芝刈り機は、主に、最も低い刈高さにおいて正確な刈高さが規定されるゴルフ場の芝刈りにおいて好適に使用されるが、その他、複数の刈高さが求められるサッカー、野球等のスポーツターフをはじめとする種々の芝刈りに用いることができる。
【図面の簡単な説明】
【００５８】
【図１】本発明の実施例１の芝刈り高さ調節機構を、芝刈り機のローラーに固定する前の状態を示す斜視分解説明図である。
【図２】実施例１の芝刈り高さ調節機構を、芝刈り機のローラーに固定した状態例を示す平面断面図である。
【図３】実施例１の芝刈り高さ調節機構を、芝刈り機のローラーに固定した状態例を示す側面一部切欠説明図である。
【図４】本発明の芝刈り高さ調節機構を固定する対象の、芝刈り機の例を示す側面一部切欠説明図である。
【図５】本発明の実施例２の芝刈り高さ調節機構を、芝刈り機のローラーに固定した状態を示す斜視説明図である。
【図６】本発明の実施例３の芝刈り高さ調節機構を、芝刈り機のローラーに固定する前の状態を示す断面説明図である。
【図７】実施例３の芝刈り高さ調節機構を、芝刈り機のローラーに固定した状態を示す断面説明図である。
【符号の説明】
【００５９】
１  円筒分割体
２  固定構造
２２嵌合溝
Ｂ  リール刃
Ｒ  ローラー
Ｒｄ  円板
Ｓ  螺合構造
【図１】
2005095110.tif 000003
【図２】
2005095110.tif 000004
【図３】
2005095110.tif 000005
【図４】
2005095110.tif 000006
【図５】
2005095110.tif 000007
【図６】
2005095110.tif 000008
【図７】
2005095110.tif 000009